(57)【特許請求の範囲】
【請求項１】
遮断器ケースの上面に電路を開閉操作する操作レバーを備え、背面に電源側端子、前面に負荷側端子を配置し、単相三線式電路に使用可能な配線用遮断器であって、
前記電源側端子及び負荷側端子は夫々３端子から構成されると共に、前記負荷側端子は速結端子で構成され、前記電源側端子及び負荷側端子の双方の端子は平面視略一直線上に配列されて成ることを特徴とする配線用遮断器。
【請求項２】
遮断器ケースは負荷側端子の任意の１つの端子を閉塞する為の端子カバーを備えて成ることを特徴とする請求項１に記載の配線用遮断器。
【請求項３】
負荷側端子の３つの速結端子は同一平面上に配置され、端子カバーは前記平面上をスライドして何れか１つの端子を覆うように遮断器ケースに組み付けられて成ることを特徴とする請求項２に記載の配線用遮断器。
【請求項４】
端子カバーが、遮断器ケース本体から突出しない位置でスライド可能に設けられていることを特徴とする請求項２又は３に記載の配線用遮断器。
【請求項５】
端子カバーに、１００Ｖ出力を示す第１表示部と２００Ｖ出力を示す第２表示部とを設けるとともに、端子カバーが所定の端子を閉塞する閉塞位置に位置した際に、開放されている端子による出力状態を示さない何れかの表示部を被覆するための被覆部を遮断器ケースに設けたことを特徴とする請求項２乃至４の何れかに記載の配線用遮断器。
【請求項６】
端子カバーに弾性係止片を設ける一方、遮断器ケース本体に前記弾性係止片が係止可能な係止凹部を設け、該弾性係止片と係止凹部との係止により、前記端子カバーを所定の閉塞位置にて保持可能としたことを特徴とする請求項２乃至５の何れかに記載の配線用遮断器。
【請求項７】
遮断器ケース前面の負荷側端子形成部が斜め上方を向くよう傾斜形成され、各速結端子が上方から視認可能であることを特徴とする請求項１乃至６の何れかに記載の配線用遮断器。
【発明の詳細な説明】
【技術分野】
【０００１】
本発明は、分電盤内に設置され、各部屋のコンセント等に接続された負荷配線を接続する配線用遮断器（以下、単に遮断器と称す）に関し、特に単相三線式電路に使用する遮断器に関する。
【背景技術】
【０００２】
近年、住宅に使用される分電盤において、収納する遮断器が増加する傾向にあることから、分電盤の大型化を防ぐために遮断器を小型化し、その設置スペースの削減を図っている。また、分電盤としては、２００Ｖ負荷に対応可能とするため、単相三線式電路を使用したものが一般的である。このような事情から、電源側端子をプラグイン方式にして縦配置とし、従来に比べて幅方向を薄くするとともに、接続する導体バーの接続位置を変更することで入力電圧を切換可能とした遮断器がある。
【０００３】
このような構成の遮断器の切換形態としては、３つの導体バーを挿入可能に電源側端子を形成するとともに、導体バーに連結するための２つの端子金具を設けて実質２端子入力とし、その一方の位置を電源側端子にて変更可能として３つの導体バーのうち２つを選択して入力するよう構成したもの（例えば、特許文献１参照）がある。また、電源側端子を３つ設けるとともに、そのうち２つを選択する切換スイッチを遮断器に組み付けて、該切換スイッチにより入力を切り換えるようにしたもの（例えば、特許文献２参照）もある。但し、これらの負荷側端子は速結端子で構成され、左右に列べて配置されていた。
【０００４】
【特許文献１】特開２００３−３６７７８号公報
【特許文献２】特開２００３−２１７４２６号公報（第１図、第３図）
【発明の開示】
【発明が解決しようとする課題】
【０００５】
しかしながら、上記遮断器では、分電盤への組み付け状態にて電圧を切り換えようとした場合に、その切換作業が容易ではない。例えば、端子金具を移動させる形態のものでは、遮断器を分電盤から一旦取り外さなければならず、切換作業が面倒であった。特に、薄型の遮断器の場合、分電盤内において左右に近接させて複数並設されているため、隣接する遮断器同士が密着しており、作業者による操作スペースが狭い。したがって、操作する作業者の指先に負担が掛かり、取り外し作業が困難であり、場合によっては、遮断器を破損したり、作業者の指を痛めてしまうこともあった。
また、切換スイッチを設けたものでは、切換作業を簡単に行うことができるものの、切換スイッチを設ける必要があるため、コスト高であるし、遮断器を小型化するには好ましい構成ではない。
さらに、上述する構成により薄型化して小型化を図ったものは、具体的に１６ｍｍ幅程度が限度であり、一層薄く小型に作製することは負荷側端子の配列等が障害となり、困難であった。
【０００６】
そこで、本発明は、上述したような問題点に鑑み、分電盤に取り付けた状態で而も簡易な構成で電圧の切り換えが可能であって、更に１６ｍｍ幅未満に薄くでき小型化が可能な遮断器を提供しようとするものである。
【課題を解決するための手段】
【０００７】
上記目的を達成するために、本発明のうち請求項１に記載の発明は、遮断器ケースの上面に電路を開閉操作する操作レバーを備え、背面に電源側端子、前面に負荷側端子を配置し、単相三線式電路に使用可能な配線用遮断器であって、前記電源側端子及び負荷側端子は夫々３端子から構成されると共に、前記負荷側端子は速結端子で構成され、前記電源側端子及び負荷側端子の双方の端子は平面視略一直線上に配列されて成ることを特徴とする。
この構成により、負荷側端子を電源側端子と合わせて平面視一直線上に配置することで、遮断器ケースの幅を１６ｍｍより狭くすることが可能となり、薄く小型化できる。また、単相三線式電路の夫々の電路に接続され、夫々の電路に対応した出力端子を有するので、端子を選択して負荷配線を接続する単純な抜き取り／挿入操作で１００Ｖ出力と２００Ｖ出力の電圧切り換えを実施でき、遮断器をいちいち取り外す必要がない。
更に、電圧を切り換えるための切換機構を必要としないので簡易な構成で遮断器を作製できる。
また、２本の電圧線の選択もできるため、分電盤内の電圧線の電流バランスを採りやすいし、接続した負荷配線の接続位置を見るだけで出力電圧を確認でき、電圧の把握をし易い。
【０００８】
請求項２に記載の発明は、請求項１に記載の発明において、遮断器ケースは負荷側端子の任意の１つの端子を閉塞する為の端子カバーを備えて成ることを特徴とする。
この構成により、使用しない端子を端子カバーで塞ぐことができ、誤結線することが無いし使用しない端子に塵等が入り込んで不具合を発生することもない。
【０００９】
請求項３に記載の発明は、請求項２に記載の発明において、負荷側端子の３つの速結端子は同一平面上に配置され、端子カバーは前記平面上をスライドして何れか１つの端子を覆うように遮断器ケースに組み付けられて成ることを特徴とする。
この構成により、スライド操作することで、任意の端子を閉塞できるので、遮断器を一旦取り外して閉塞端子を変更する面倒な作業を必要としない。また、端子カバーは常にケースに連結した状態に維持できるので無くすことがない。
【００１０】
請求項４に記載の発明は、請求項２又は３に記載の発明において、端子カバーが、遮断器ケース本体から突出しない位置でスライド可能に設けられていることを特徴とする。
この構成により、端子カバーが遮断器ケース本体から突出しないため、たとえば分電盤内等に隣接設置された配線用遮断器同士で端子カバーが干渉することもなく、配線用遮断器の設置スペースの一層の省スペース化を図ることができる。
【００１１】
請求項５に記載の発明は、請求項２乃至４の何れかに記載の発明において、端子カバーに、１００Ｖ出力を示す第１表示部と２００Ｖ出力を示す第２表示部とを設けるとともに、端子カバーが所定の端子を閉塞する閉塞位置に位置した際に、開放されている端子による出力状態を示さない何れかの表示部を被覆するための被覆部を遮断器ケースに設けたことを特徴とする。
この構成により、作業者は、端子カバーにて一の端子を閉塞した際に、１００Ｖ出力の状態となっているのか又は２００Ｖ出力の状態となっているのかを表示部を目視することで確認することができる。したがって、誤結線を極めて確実に防止することができる。
【００１２】
請求項６に記載の発明は、請求項２乃至５の何れかに記載の発明において、端子カバーに弾性係止片を設ける一方、遮断器ケース本体に前記弾性係止片が係止可能な係止凹部を設け、該弾性係止片と係止凹部との係止により、前記端子カバーを所定の閉塞位置にて保持可能としたことを特徴とする。
この構成により、作業中、端子カバーが安易に閉塞位置からずれることがなく、使い勝手が良い。また、弾性係止片と係止凹部との弾性を利用して係止であるため、スライド方向へと力を加えるだけで容易にスライド操作可能であり、使い勝手や作業性が非常に良い。
【００１３】
請求項７に記載の発明は、請求項１乃至６の何れかに記載の発明において、遮断器ケース前面の負荷側端子形成部が斜め上方を向くよう傾斜形成され、各速結端子が上方から視認可能であることを特徴とする。
この構成により、上方から負荷側端子を視認できるので、端子を選択して結線し易い。また、接続状体の確認もし易くなる。
【発明の効果】
【００１４】
本発明によれば、負荷側端子を電源端子に合わせて上下に一列に配置することで、遮断器ケースの幅を１６ｍｍより狭くすることができ、薄く小型化することが可能となる。
また、単相三線式電路の３つの電路に接続され、夫々に対応した出力端子を有するので、負荷側端子を選択して負荷配線を接続する抜き取り／挿入操作で１００Ｖ出力と２００Ｖ出力の切り換えを実施できるため、電圧切換操作を容易に行うことができる。
さらに、切換機構を必要としないので簡易な構成で実施できるし、２本の電圧線の選択もできるため、分電盤内の電圧線の電流バランスを採りやすい。
また、接続した負荷配線の接続位置を見るだけで出力電圧を確認でき、電圧の把握をし易い。
【発明を実施するための最良の形態】
【００１５】
以下、本発明を具体化した実施の形態を、図面に基づいて詳細に説明する。図１は本発明に係る配線用遮断器の第１の実施形態を示す斜視図であり、１は電路を開閉操作する操作レバー、２は分電盤内に配設された電源ラインである導体バーに接続する電源側端子、３はコンセント等に接続された負荷配線を接続する負荷側端子である。また、１２は電源側端子２に挿入接続するための導体バーから分岐した分岐バー、１３は負荷側端子３に挿入接続する負荷配線を示している。
【００１６】
操作レバー１は、合成樹脂で形成されたケース４の上面の略中央に設置され、前後方向に回動操作することでケース４内に組み込まれた図示しない遮断機構が操作されて、電源側端子２と負荷側端子３とが接続／開放されるよう構成されている。尚、ケース４内には過電流検知機構（図示せず）を備え、過電流を検知したら遮断機構が開動作する。
【００１７】
電源側端子２はケース４背面に設けられている。ケース４背面は平坦な垂直面で形成され、上下方向に一列にＰ１、Ｐ２、Ｐ３の３つのプラグイン方式の端子が形成されている。各端子Ｐ１〜Ｐ３は横方向に貫通してコ字状に切り欠いて形成されている。こうして、幅広の分岐バー１２を容易に挿入接続できるし、分電盤内に配設された導体バーを直接挿入して接続することも可能となっている。
【００１８】
負荷側端子３はケース４前面に設けられている。ケース４の前面は下部に垂直な立ち上がり面を有し、途中から斜め上方を向くよう傾斜形成された傾斜面４ａを有し、負荷側端子３はこの傾斜面４ａの中央にＬ１、Ｌ２、Ｌ３の３つの端子を縦一列に設けて形成され、操作レバー１及び電源側端子２を含む平面視一直線上に負荷側端子３は配列されている。
３つの端子Ｌ１〜Ｌ３は、傾斜面４ａに直交するケース４の内方に向けて電線挿入空間を有し、その内部に挿入した負荷配線１３の内部電線を係止する係止金具（図示せず）を備えて速結端子を形成している。そして、電源側端子２と負荷側端子３とは、夫々上下同じ順序で連結されるように構成されている。
尚、図示しないが各端子の近傍には電線の係止を解除して負荷配線を抜きやすくするための解除ボタンが設けられている。
【００１９】
このように構成された配線用遮断器は次のように電圧切り換えが成される。電源側端子２及び負荷側端子３とも、中央のＰ２端子及びＬ２端子が中性線接続端子としてあり、負荷側端子３の端子Ｌ１−Ｌ２、或いは端子Ｌ２−Ｌ３に接続した場合は１００Ｖの出力を得ることができ、端子Ｌ１−Ｌ３間に接続した場合は２００Ｖの出力を得ることができる。従って、端子Ｌ１−Ｌ２間で接続されている場合は、Ｌ２に接続されている負荷配線１３をＬ３に変更すれば２００Ｖ出力を得ることができるし、端子Ｌ２−Ｌ３間で接続されている場合は、Ｌ２に接続されている負荷配線１３をＬ１に変更すれば２００Ｖ出力を得ることができる。
また、端子Ｌ１−Ｌ３間に接続されて２００Ｖとなっている場合は、どちらか一方の負荷配線１３をＬ２に接続し直すことで１００Ｖ出力となる。
【００２０】
このように、負荷側端子３を電源側端子２と合わせて平面視一直線上に配置することで、ケース４の幅を１６ｍｍより狭くすることが可能となり、薄く小型化できる。
また、単相三線式電路の夫々の電路に接続され、夫々の電路に対応した出力端子を有するので、端子を選択して負荷配線１３を接続する単純な抜き取り／挿入操作で１００Ｖ出力と２００Ｖ出力の電圧切り換えを実施でき、遮断器をいちいち取り外す必要がない。
更に、電圧を切り換えるための切換機構を必要としないので簡易な構成で遮断器を作製できる。
また、２本の電圧線の選択もできるため、分電盤内の電圧線の電流バランスを採りやすいし、接続した負荷配線１３の接続位置を見るだけで出力電圧を確認でき、電圧の把握をし易い。
そして、ケース４前面を斜め上方に向けて傾斜形成したので、上方から負荷側端子３の個々の端子を視認し易く、端子を選択して結線し易い。また、接続状体の確認もし易い。
【００２１】
尚、この実施形態では中央の端子Ｐ２、Ｌ２を中性極としているが、上下の何れか一方を中性極としても何ら差し支えない。また、負荷側端子３の各端子Ｌ１〜Ｌ３は電線挿入空間を傾斜面４ａに直交する斜め下方に向けて形成しているが、前方から水平に後方に向けて挿入するよう前後方向に形成しても良いし、上方から底部に向けて挿入するように縦方向に形成しても良い。
【００２２】
図２は本発明に係る配線用遮断器の第２の実施形態を示している。上記第１の実施形態とは、電源側端子２の形状、及び負荷側端子３に端子カバー６を設けた点が相違している。電源側端子２は、横方向に貫通する切り欠きを設けず、縦長に形成された分岐バーを挿入するための挿入穴（図示せず）が縦に３個形成されて構成されている。
【００２３】
また、端子カバー６は、図３に示すように１つの端子を閉塞可能な平坦な閉塞部６ａと、その左右を折り曲げて形成した平行な一対の係合部６ｂとを有し、略コ字状を成して合成樹脂により作製されている。
そして、左右の係合部６ｂ先端の対向する部位にはケース４に係合させるための帯状突起７が平行に設けられ、更にその中央部には閉塞部６ａ方向に端子カバー６をケース４の所定位置に係止させるための突起８が形成されている。尚、上記図１と同一の構成要素には同一の符号を付与し説明を省略する。
【００２４】
一方、ケース４の傾斜面４ａに隣接した左右側面には、傾斜面４ａに平行に案内溝１０が凹設され、係合保持した端子カバー６を傾斜面４ａ上でスライド可能としている。そして、案内溝１０の各端子Ｌ１〜Ｌ３に合わせた位置に端子カバー６の突起８に係合する凹部１１が一体形成され、夫々の端子Ｌ１〜Ｌ３を閉塞する所定位置で端子カバー６が係止し、位置を保持可能に構成されている。
【００２５】
このように、使用しない端子を端子カバー６で塞ぐことで、誤結線を無くすことができるし、使用しない端子に塵等が入り込んで不具合が発生することもない。
また、端子カバー６はスライド操作により移動して任意の端子を閉塞できるので、一旦取り外して閉塞端子を変更する面倒な作業を必要としないし、端子カバー６は常にケース４に連結した状態に維持できるので無くすことがない。
尚、端子カバー６はケース４に比べて軟質な樹脂で作製すると良く、スライド及び係止動作をスムーズに行うことができる。
【００２６】
図４は本発明の第３の実施形態を示している。上記第１の実施形態とは、負荷側端子３を設けたケース４前面の形状が異なっている。負荷側端子３を設けたケース４前面は、斜め上方を向いた傾斜面４ａが３分割されて形成され、個々の傾斜面４ａは垂直面により連結され段違いに配置されている。そして、３つの端子Ｌ１〜Ｌ３が夫々の傾斜面４ａに分離されて配置されている。尚、上記図１と同一の構成要素には同一の符号を付与し説明を省略する。
このように形成しても、上方から負荷側端子３の個々の端子Ｌ１〜Ｌ３を視認し易いし、ケース４前面に垂直面を増やすことでケース４の前方への突出量を図１の形状に比べて抑えることができる。
【００２７】
図５は本発明の第４の実施形態を示している。上記第１の実施形態とは、負荷側端子３を設けたケース４前面の形状が異なり、ケース４前面は、垂直面４ｂと水平面とが交互に配置され、３段に階段状に形成されている。そして、３つの端子Ｌ１〜Ｌ３が各垂直面４ｂに分離して設けられている。夫々の垂直面４ｂは水平面で連結され、個々の端子Ｌ１〜Ｌ３は水平方向に電線挿入空間が形成され、前方から負荷配線１３を挿入するよう形成されている。尚、上記図１と同一の構成要素には同一の符号を付与し説明を省略する。
このように各端子に段差を設けることで、垂直面４ｂに端子を設けても、上方から各端子を視認することが可能となる。また垂直面４ｂとすることで、前方へのケース４突出量も抑えることができる。
【００２８】
図６は本発明の第５の実施形態を示している。上記第１の実施形態とは、負荷側端子３を設けたケース４前面の形状が異なり、ケース４前面は一様な垂直面で形成され、３つの端子Ｌ１〜Ｌ３が同一平面状に形成されている。そして、上記図２に示すような案内溝１０が形成され、図３に示すような端子カバー６が装着されている。尚、上記図１と同一の構成要素には同一の符号を付与し説明を省略する。
このように、前面を一様な垂直面とすれば、傾斜形成した場合に比べて分電盤に取り付けた状態での端子の確認はし辛くなるが、スライドする端子カバー６を取り付けやすくなるし、ケース４の前方への突出量を最小にすることができる。但し、分電盤内の配線用遮断器組み付け部位を、配線用遮断器の前方が持ち上がるように傾斜形成しておくことで、遮断器ケース前面を傾斜形成した如く端子を上方、即ち分電盤前方から視認し易くできる。
【００２９】
本発明の第６の実施形態について、図７〜図１１に基づき説明する。図７は、本発明の第６の実施形態となる配線用遮断器６１を示した斜視説明図であり、図８は、配線用遮断器６１を正面側から見た説明図である。また、図９は、配線用遮断器６１のケース４内部を示した斜視説明図であり、図１０は、端子カバー６６を拡大して示した斜視説明図である。さらに、図１１は、端子カバー６６により中央の端子Ｌ２を閉塞した状態を示した斜視説明図である。
本発明の第６の実施形態となる配線用遮断器６１は、上記第１の実施形態とは、負荷側端子３を設けたケース４前面の形状が異なっており、上記第２の実施形態同様、端子カバー６６によって、使用しない端子を閉塞可能としている。
【００３０】
ここで、ケース４前面の形状、及び端子カバー６６について詳述する。
ケース４前面は、上記第１の実施形態同様、斜め上方を向くような傾斜面４ａに形成されており、該傾斜面４ａには、Ｌ１、Ｌ２、Ｌ３の３つの端子を縦一列に配設してなる負荷側端子３が設けられている。また、傾斜面４ａには、その左右両縁に支持壁６２、６２が、傾斜方向に沿って且つ傾斜面４ａに対して垂直方向に立設されている。該支持壁６２、６２内面には、傾斜方向に沿って図示しない係合溝が凹設されており、後述の如き端子カバー６６を傾斜方向でスライド可能に支持している。さらに、支持壁６２、６２の所定位置には、後述の如き端子カバー６６の表示部６９ａ、６９ｂを覆う被覆部６３が、支持壁６２、６２間に傾斜面４ａの一部を覆うように架設されている。尚、支持壁６２、６２間の上端部及び下端部は閉塞されている。
【００３１】
一方、端子カバー６６は、弾性を有する合成樹脂を矩形薄板状に形成してなるものであって、その略中央には、上下両側が凹状に刻設されることで、その中央部が前方へと突出した形状の突部６７が一体的に設けられている。また、端子カバー６６の右側縁部には、Ｌ字状の切り込みを設けることにより、腕状の弾性係止片６８が設けられている。該弾性係止片６８の先端部は右側方へと膨出する膨出部となっており、係合溝の所定位置（複数箇所）に設けられた係止凹部（図示しない）に係止可能となっている。さらに、端子カバー６６の上部及び下部には、１００Ｖ出力又は２００Ｖ出力を示す表示がなされた表示部６９ａ、６９ｂが設けられている。尚、該端子カバー６６は、図９に示すように、配線用遮断器１のケース４を組み立てる際に、支持壁６２、６２間に位置するように設置され、ケース４組み立て後には、支持壁６２、６２間から脱却しないようになっている。
【００３２】
上述したような端子カバー６６により配線用遮断器６１にて負荷側端子３の各端子Ｌ１〜Ｌ３を閉塞する動作について説明する。
まず、１００Ｖ出力としたい場合には、端子Ｌ１又は端子Ｌ３を閉塞してやればよい。そこで、図７に示すように、端子Ｌ１を覆うような位置に端子カバー６６を位置させることで、端子Ｌ１が閉塞され、端子Ｌ１への負荷配線１３の接続が不可能となる。また、該位置にある場合、弾性係止片６８が係合溝内の係止凹部に係止しており、端子カバー６６をその位置にて保持可能としている。さらに、端子カバー６６の下部に設けられた表示部６９ｂが被覆部６３にて覆われており、作業者からは１００Ｖと示された表示部６９ａのみが視認可能となっている。尚、１００Ｖ出力としたい場合には、端子Ｌ３を閉塞してもよい。そこで、端子カバー６６を最下端までスライドさせて端子Ｌ３を覆う位置に位置させてもよい。該端子Ｌ３を覆う位置にある場合にも、端子カバー６６は、弾性係止片６８と係止凹部とによって保持されており、また表示部６９ｂが支持壁６２、６２の下端縁により覆われた状態となっている。
【００３３】
一方、２００Ｖ出力としたい場合には、端子Ｌ２を閉塞してやればよい。そこで、図１１に示すように、端子カバー６６を上記端子Ｌ１を覆う位置から端子Ｌ２を覆うような位置へスライドさせることで、端子Ｌ２が閉塞され、端子Ｌ２への負荷配線の接続が不可能となる。端子カバー６６をスライドさせるにあたっては、端子カバー６６の突部６７に指先等を当て、下方へと押し下げれば、弾性係止片６８と係止凹部との係止が解除され、端子カバー６６をスライド自在な状態とすることができる。
また、端子Ｌ２を覆う位置に位置させた場合にも、弾性係止片６８が係合溝内の係止凹部に係止しており、端子カバー６６を該位置にて保持としている。さらに、端子Ｌ２を覆う位置にある場合には、端子カバー６６の上部に設けられた表示部６９ａが被覆部６３にて覆われ、作業者からは２００Ｖと示された表示部６９ｂのみが視認可能となる。
【００３４】
以上のような配線用遮断器６１によれば、端子カバー６６を傾斜面４ａ上にてスライドさせることにより、負荷側端子３において使用しない端子を端子カバー６６にて閉塞することができるため、誤結線を効果的に防止することができる。さらに、使用しない端子を端子カバー６６にて閉塞することで、該端子内へ塵等が入り込んで不具合が発生するようなこともない。
【００３５】
また、端子カバー６６のスライド操作のみによって所望の端子を閉塞することができるため、端子カバーを一旦取り外して閉塞する端子を変更するといった面倒な作業を必要としない。さらに、端子カバー６６は、傾斜面４ａ上にて支持壁６２、６２間に挟まれた状態で保持されており、ケース４組み立て後には取り外し不可能となっているため、端子カバー６６が不用意に脱却することもない上、作業時等に無くすこともない。
【００３６】
加えて、端子カバー６６は、支持壁６２、６２間に挟まれた状態で保持されているため、上記図２に示したもののように、ケース４（支持壁６２、６２を含む）から突出しない構成となっている。したがって、たとえば分電盤内等に隣接設置された配線用遮断器同士で端子カバー６６が干渉したりすることもなく、配線用遮断器６１の設置スペースの更なる省スペース化を図ることができ、ひいては分電盤の小型化等を図ることができる。
【００３７】
さらに、端子カバー６６は、膨出部を有する弾性係止片６８を備えているため、該弾性係止片６８と係止凹部との係止によって、端子カバー６６を所定の閉塞位置にて保持可能となっている。したがって、作業中、端子カバー６６が安易に閉塞位置からずれることがなく、使い勝手が良い。さらにまた、弾性係止片６８と係止凹部との弾性を利用して係止であるため、スライド方向へと力を加えるだけで容易にスライド操作可能であり、使い勝手や作業性が非常に良い。加えて、端子カバー６６の中央に突部６８が設けられているため、端子カバー６６をスライド操作に係る操作性の一層の向上を実現することができる。
【００３８】
またさらに、端子カバー６６の上部及び下部に１００Ｖ出力又は２００Ｖ出力を示した表示部６９ａ、６９ｂが設けられているとともに、端子カバー６６が所定の閉塞位置にある際に、上記表示部６９ａ、６９ｂの一方を覆う被覆部６３が支持壁６２、６２の所定位置に架設されている。そのため、作業者は、端子カバー６６にて一の端子を閉塞した際に、１００Ｖ出力の状態となっているのか又は２００Ｖ出力の状態となっているのかを表示部６９ａ又は６９ｂを目視することにより確認することができる。したがって、誤結線を極めて確実に防止することができる。
【００３９】
尚、上記実施形態では、端子カバー６をケース４に取り付けた状態で閉塞する端子を変更可能としているが、ケース４から容易に着脱可能に形成し、着脱操作により閉塞する端子を変更する構成としても良い。また、電源側端子２、負荷側端子３を平面視一直線上に配置しているが、僅からにずらして配置してもかまわない。そうすることで、ケース４の幅方向の厚みが増すことになるが、負荷側端子３の視認性の向上を図ることができる。例えば中央の端子Ｌ２のみ左右の一方向にずらすことで３つの端子Ｌ１〜Ｌ３の上方からの視認性を更に向上できる。
【００４０】
さらに、端子カバーに１００Ｖ出力であるか２００Ｖ出力であるかを視認させるための表示部を設けるにあたっては、上記実施形態に記載のように「１００Ｖ」又は「２００Ｖ」と表示するのではなく、異なる色によって端子カバーの端部を着色して両者を識別可能とするようにしてもよい。加えて、弾性係止片を端子カバーの左右両側に設けるような構成としてもよいし、後方へ突出するような弾性係止片を設けるとともに、傾斜面上に該弾性係止片と係止可能な係止凹部を設けるといった構成としても何ら問題はない。
【図面の簡単な説明】
【００４１】
【図１】本発明に係る配線用遮断器の第１の実施形態を示す斜視説明図である。
【図２】本発明に係る配線用遮断器の第２の実施形態を示し、（ａ）は端子カバーを装着した状態の斜視説明図、（ｂ）は端子カバーを取り外した状態の斜視説明図である。
【図３】図２の端子カバーを示し、（ａ）は側面図、（ｂ）はＡ−Ａ線断面図である。
【図４】本発明の第３の実施形態を示す斜視説明図である。
【図５】本発明の第４の実施形態を示す斜視説明図である。
【図６】本発明の第５の実施形態を示す斜視説明図である。
【図７】本発明の第６の実施形態を示す斜視説明図である。
【図８】本発明の第６の実施形態を正面側から見た説明図である。
【図９】本発明の第６の実施形態の配線用遮断器のケース内部を示した斜視説明図である。
【図１０】端子カバーを拡大して示した斜視説明図である。
【図１１】端子カバーにより中央の端子を閉塞した状態を示した斜視説明図である。
【符号の説明】
【００４２】
１・・操作レバー、２・・電源側端子、３・・負荷側端子、４・・ケース、４ａ・・傾斜面、６、６６・・端子カバー、６８・・弾性係止片、６９ａ、６９ｂ・・表示部。
【図１】
0004783661.tif 000002
【図２】
0004783661.tif 000003
【図３】
0004783661.tif 000004
【図４】
0004783661.tif 000005
【図５】
0004783661.tif 000006
【図６】
0004783661.tif 000007
【図７】
0004783661.tif 000008
【図８】
0004783661.tif 000009
【図９】
0004783661.tif 000010
【図１０】
0004783661.tif 000011
【図１１】
0004783661.tif 000012